(57)【要約】【課題】主塔上部に斜ケーブルを定着するための鋼部材の加工を容易化するとともに、斜ケーブルを定着するときの作業性を改善する。【解決手段】斜張橋の軸線と平行で鉛直に支持された一枚の鋼板１１を主塔上部に支持するとともに、橋軸方向における両側縁部を埋め込むように２つのコンクリートブロック１２，１３を形成する。斜ケーブル８，９は、鋼板１１を挟んで両側にそれぞれ配置し、２本を対とする。この対になった斜ケーブルを上下方向に複数段配置する。また、斜ケーブルはコンクリートブロックを貫通し、貫通したコンクリートブロックに反力を伝達するように定着する。この反力がずれ止め棒鋼１４を介して鋼板へ伝達され、橋軸方向の双方に張架された斜ケーブルの引張力の水平成分が鋼板の両側縁付近で反対方向に作用する。【選択図】図５
2014047489.tif 000002
【特許請求の範囲】
【請求項１】
斜張橋の主塔上部に設けられ、該主塔から斜張橋の軸線方向（以下、橋軸方向）における前方及び後方の双方へ斜め下方に張架されて橋桁を吊支持する複数の斜ケーブルの定着構造であって、
前記主塔の上部に、該斜張橋の軸線と平行で鉛直に支持された一枚の鋼板と、
該鋼板の橋軸方向における両側縁部に沿って該両側縁部を埋め込むように形成された２つのコンクリートブロックと、
前記鋼板の両側縁に沿った位置に設けられた貫通孔に挿通されて該鋼板の両面から突出し、前記コンクリートブロック内に埋め込まれて、該コンクリートブロックと前記鋼板との相対的な変位を拘束する複数のずれ止め棒鋼と、
前記鋼板の、前記ずれ止め棒鋼が挿通された位置より橋軸方向の中心側に設けられた貫通孔に挿通された複数の緊張材と、を有し、
前記斜ケーブルは、前記鋼板の両側で平行に配置されて対をなす２本の斜ケーブルを複数組有するものであり、それぞれの斜ケーブルは、前記コンクリートブロックの一方を貫通して、該コンクリートブロックの他のコンクリートブロックと対向する側面に定着され、
前記緊張材は、前記コンクリートブロックの前記鋼板の両面に接触する部分を該鋼板の両面に押し付けるように、緊張力が導入された状態で両端部が該コンクリートブロックに定着されていることを特徴とする斜ケーブルの定着構造。
【請求項２】
前記鋼板及び該鋼板と一体となった前記コンクリートブロックは，橋軸方向に配列された２つの柱状部の上に支持されていることを特徴とする請求項１に記載の斜ケーブルの定着構造。
【請求項３】
前記鋼板の上側において二つの前記コンクリートブロックの上部を互いに連結するように形成されたコンクリートからなる上部梁と、
前記鋼板の下側において二つの前記コンクリートブロックの下部を互いに連結するように形成されたコンクリートからなる下部梁と、を有することを特徴とする請求項１又は請求項２に記載の斜ケーブルの定着構造。
【発明の詳細な説明】
【技術分野】
【０００１】
本発明は、橋梁の一形式である斜張橋の主塔上部に形成され、橋桁を吊り支持するための斜ケーブルを定着する構造に関するものである。
【背景技術】
【０００２】
斜張橋は、橋脚上に立設された主塔上部から橋桁の軸線方向（橋軸方向）における斜下方に複数の斜ケーブルを張架し、この斜ケーブルによって桁を吊り支持するものとなっている。そして、大規模な斜張橋ではほとんどの場合、主塔から橋軸方向の前後双方に斜ケーブルを張架して橋脚の両側に伸びた橋桁を支持するものとなっている。このような斜張橋では、主塔の上部に橋軸方向の双方からのケーブルが定着されるとともに、複数の斜ケーブルが上下方向に配列して定着される。特に、一般にエクストラドーズド形式と称される斜張橋では主塔の高さが小さく、複数のケーブルの上下方向における間隔が小さくなっているため、主塔の上部では多くの斜ケーブルが小さな間隔で定着される。このため、主塔上部には、小さな範囲に複数の斜ケーブルから大きな引張力が伝達される。また、両側に張架された双方のケーブル間では、引張力が互いの間で伝達されるように定着され、双方のケーブルから伝達される引張力の水平成分を相殺して、主塔の全体には大きな水平方向力が作用しない構造としている。
【０００３】
このような構造を有した斜ケーブルの定着構造が、例えば特許文献１又は特許文献２に開示されている。
【０００４】
特許文献１には、主塔上部に橋軸方向の双方から斜ケーブルが対峙して定着される箱状の鋼殻部を設置し、この鋼殻部によって橋軸方向の双方に張架された斜ケーブルの引張力を相互間で伝達する構造が記載されている。
特許文献２に記載の斜ケーブルの定着構造は、橋軸方向に２枚の鋼側板を配置し、これらの周囲を巻きたてるようにコンクリート部材が形成されている。橋軸方向の双方に張架された斜ケーブルは、２枚の鋼側板の間で鋼からなる位置決め板を介してコンクリート部材に定着される。そして、双方に張架された斜ケーブルの引張力の水平成分は、該コンクリート部材及びコンクリート部材と一体となった鋼側板を介して双方の斜ケーブルの相互間で伝達されるものとなっている。
【先行技術文献】
【特許文献】
【０００５】
【特許文献１】特開２００２−３４８８１３号公報
【特許文献２】特開２００７−５１４３２号公報
【発明の概要】
【発明が解決しようとする課題】
【０００６】
上記のような斜ケーブルの定着構造では、斜ケーブルが定着される部分に箱状に形成された鋼部材が用いられるので、鋼材の重量が大きくなるとともに、鋼部材の形成に溶接等の加工が多く必要となる。また、斜ケーブルは、上記箱状となった鋼部材の内側で定着されるので、斜ケーブルの定着における作業性が悪くなっている。特に、主塔の上部で斜ケーブルを緊張しようとする場合には、なお作業が困難となる。
【０００７】
本発明は、上記のような課題に鑑みてなされたものであり、その目的は、主塔上部における斜ケーブルを定着するための鋼部材の加工を容易化するとともに、斜ケーブルを定着するときの作業性を改善することができる斜ケーブルの定着構造を提供することである。
【課題を解決するための手段】
【０００８】
上記課題を解決するために、請求項１に記載の発明は、  斜張橋の主塔上部に設けられ、該主塔から斜張橋の軸線方向（以下、橋軸方向）における前方及び後方の双方へ斜め下方に張架されて橋桁を吊支持する複数の斜ケーブルの定着構造であって、  前記主塔の上部に、該斜張橋の軸線と平行で鉛直に支持された一枚の鋼板と、  該鋼板の橋軸方向における両側縁部に沿って該両側縁部を埋め込むように形成された２つのコンクリートブロックと、  前記鋼板の両側縁に沿った位置に設けられた貫通孔に挿通されて該鋼板の両面から突出し、前記コンクリートブロック内に埋め込まれて、該コンクリートブロックと前記鋼板との相対的な変位を拘束する複数のずれ止め棒鋼と、  前記鋼板の、前記ずれ止め棒鋼が挿通された位置より橋軸方向の中心側に設けられた貫通孔に挿通された複数の緊張材と、を有し、  前記斜ケーブルは、前記鋼板の両側で平行に配置されて対をなす２本の斜ケーブルを複数組有するものであり、それぞれの斜ケーブルは、前記コンクリートブロックの一方を貫通して、該コンクリートブロックの他のコンクリートブロックと対向する側面に定着され、  前記緊張材は、前記コンクリートブロックの前記鋼板の両面に接触する部分を該鋼板の両面に押し付けるように、緊張力が導入された状態で両端部が該コンクリートブロックに定着されていることを特徴とする斜ケーブルの定着構造を提供する。
【０００９】
この斜ケーブルの定着構造では、１枚の鋼板の両側縁部を埋め込んだコンクリートブロックに、この鋼板を挟んで配置された対となる２本の斜ケーブルから引張力が伝達される。そして、コンクリートブロックに埋め込まれたずれ止め棒鋼を介して引張力は鋼板に伝達され、橋軸方向の双方に張架された斜ケーブルの引張力の水平方向成分は一枚の鋼板を介して２つのコンクリートブロック間で相殺される。したがって、主塔には大きな水平方向の力が作用しない。また、コンクリートブロックには、鋼板を挟んで両側に斜ケーブルが定着されることによって、鋼板の両側面に接触する部分を鋼板から引き離そうとする方向の力が作用するが、緊張材に導入された緊張力によってコンクリートブロックが鋼板の側面に押し付けられる。したがって、コンクリートブロックは鋼板に密着した状態で斜ケーブルの引張力を鋼板に伝達することが可能となる。
一方、上記鋼板は、溶接による加工を不要もしくは大幅に低減することができ、橋軸方向の双方に張架された斜ケーブルの引張力を相互間で伝達する鋼部材すなわち鋼板の加工における作業性が良好となる。また、斜ケーブルは、鋼板の両側でコンクリートブロックに定着されるので定着部の側方が開放されており、容易に定着具の装着等の作業を行うことができる。さらに、斜ケーブルの緊張作業を主塔上部で行うことも容易となる。
【００１０】
請求項２に係る発明は、請求項１に記載の斜ケーブルの定着構造において、  前記鋼板及び該鋼板と一体となった前記コンクリートブロックは，橋軸方向に配列された２つの柱状部の上に支持されているものとする。
【００１１】
この斜ケーブルの定着構造では、２つのコンクリートブロックのそれぞれが柱状部の上に支持され、これらのコンクリートブロックを支持する柱状部は橋軸方向に間隔を空けて配列されて、それぞれが変形可能となる。したがって、橋軸方向の双方に張架された斜ケーブルの引張力が作用して鋼板に橋軸方向の延びが生じたときに、柱状部が変形して、コンクリートブロック及び鋼板を支持する部分は大きな応力を生じることなく鋼板の変形を許容することが可能となる。
【００１２】
請求項３に係る発明は、請求項１又は請求項２に記載の斜ケーブルの定着構造において、  前記鋼板の上側において二つの前記コンクリートブロックの上部を互いに連結するように形成されたコンクリートからなる上部梁と、  前記鋼板の下側において二つの前記コンクリートブロックの下部を互いに連結するように形成されたコンクリートからなる下部梁と、を有するものとする。
【００１３】
この斜ケーブルの定着構造では、鋼板の上側又は下側に形成された上部梁又は下部梁により、２つのコンクリートブロック間の相対的な変位を拘束する。したがって、鋼板の両側で対となった斜ケーブルの引張力の誤差等によって鋼板に曲げ変形が生じるのを抑制することが可能となる。
【発明の効果】
【００１４】
以上説明したように、本発明に係る斜ケーブルの定着構造では、定着部に用いられる鋼部材の製作における作業性を向上するとともに、斜ケーブルを主塔上部に定着する作業の効率を向上させることができる。
【図面の簡単な説明】
【００１５】
【図１】本発明の一実施形態である斜ケーブルの定着構造を好適に採用することができるエクストラドーズド形式の斜張橋を示す概略側面図である。
【図２】図１に示す斜張橋の主塔であって、本発明の一実施形態である斜ケーブルの定着構造を採用した主塔の側面図である。
【図３】図２に示す主塔の橋軸方向と直角となる断面であって、図２中に示すＡ−Ａ線における立断面図である。
【図４】図２に示す主塔の橋軸方向と平行となる断面であって、図３中に示すＢ−Ｂ線における立断面図である。
【図５】図２に示す主塔のケーブル定着部における水平方向の断面であって、図２中に示すＣ−Ｃ線及びＤ−Ｄ線における平断面図である。
【図６】貫通孔に挿通されたずれ止め棒鋼及び緊張材の位置を示す拡大断面図である。
【発明を実施するための形態】
【００１６】
以下、本発明の実施形態を図に基づいて説明する。
図１は、本発明の定着構造を好適に採用することができるエクストラドーズド形式の斜張橋を示す概略側面図である。
この斜張橋は、橋台１及び橋脚２の上に架け渡された橋桁３と、橋脚上に立ち上げられた主塔４と、この主塔４の上部から橋桁３の軸線方向の双方へ斜下方に張架され、橋桁３を斜め方向に吊り支持する複数の斜ケーブル８，９とを有するものである。
エクストラドーズド形式の斜張橋は橋桁３の曲げ剛性を比較的大きくするとともに、主塔４の高さを小さく抑えたものであり、斜ケーブル８，９の傾斜角は小さくなっている。
【００１７】
上記橋桁３は、橋脚２の直上に柱頭部横桁を有し、橋桁３と橋脚２とは一体に連続してラーメン構造を形成するものとなっている。そして、上記主塔４は、橋桁３の柱頭部横桁が設けられた位置の上に、一体に連続して立ち上げられたものである。
なお、本実施の形態では、上記橋桁３のウェブは、側面形状が蝶形に形成されたプレキャスト板を用いたいわゆるバタフライウェブとなっており、橋桁３の重量を低減した構造としているが、橋桁３の構造はこのような構造に限定されるものではなく、ウェブが現場で打設されるコンクリート又は鋼からなるもの等、他の形態の橋桁であってもよい。また、鋼によって形成された箱桁であっても良い。
【００１８】
図２は図１に示す斜張橋の主塔の側面図、図３はこの主塔の橋軸方向に対して直角となる方向の立断面図（図２中のＡ−Ａ線）、図４は橋軸方向の立断面図（図３中のＢ−Ｂ線）、図５は図２に示す主塔の平断面図（図２中のＣ−Ｃ線及びＤ−Ｄ線）である。
この主塔４は、橋脚２と一体となった橋桁３から連続して形成される基部５と、この基部上の橋軸方向に離れた位置からそれぞれ分割して立ち上げられた柱状部６と、この柱状部６に支持されたケーブル定着部７とから構成されている。
【００１９】
上記ケーブル定着部７は、斜ケーブル８，９が定着される範囲に橋桁３の軸線方向と平行で鉛直となるように配置された１枚の鋼板１１と、この鋼板１１の橋軸方向における両側縁部に沿ってこの両側縁部を埋め込むように形成された２つのコンクリートブロック１２，１３とを備えるものである。つまり、鋼板１１の橋軸方向の一方の側縁部は上端から下端までがコンクリートブロック１２に埋め込まれ、橋軸方向における他方の側縁部も同形状のコンクリートブロック１３によって上端から下端まで埋め込まれている。そして、２つのコンクリートブロック１２，１３は、それぞれが上記柱状部６ａ，６ｂに支持され、コンクリートブロック１２，１３とコンクリートからなる柱状部６ａ，６ｂが一体に連続するものとなっている。したがって、ケーブル定着部７の下側で、２つに分割された柱状部６ａ，６ｂの間１０は、橋軸と直角方向に貫通する空間となっている。
【００２０】
上記斜ケーブル８，９は、図３及び図５（ａ）に示すように、鋼板１１を挟んで鋼板１１の両側に配置されており、鋼板１１の両側で平行に配置されて対となる斜ケーブル８ａ，８ｂが複数段にわたって配置されている。本実施の形態では主塔から橋軸方向の双方の斜め下方に、それぞれ５組の斜ケーブル８，９が配置され、それぞれの組の斜ケーブルの傾斜角が変化するものとなっている。
これらの斜ケーブル８，９は、コンクリートブロック１２，１３を貫通するとともにこれらのコンクリートブロック１２，１３に、他方のコンクリートブロックと対向する面１２ａ，１３ａで定着されている。つまり、図２に示すように側面視における左側からコンクリートブロック１２を貫通する斜ケーブル８は、貫通した左側のコンクリートブロック１２に定着され、側面視における右側からコンクリートブロック１３を貫通する斜ケーブル９は、貫通した右側のコンクリートブロック１３の左側のコンクリートブロック１２と対向する面１３ａに定着されている。
なお、斜ケーブル８，９が貫通する部分には、コンクリートブロック１２，１３に管部材１８が埋め込まれダクトが形成されており、斜ケーブルはこれらのダクト内に挿通されている。
【００２１】
上記鋼板１１は、厚さが１００ｍｍの厚板となっており、橋軸方向の幅は、上端から下端に向けて小さくなっている。これにともない、鋼板１１の両側縁部を埋め込んだ２つのコンクリートブロック１２，１３の橋軸方向の間隔が鋼板１１の上部に向かって拡大するようになっている。
【００２２】
上記鋼板１１には、橋軸方向における両側縁付近に複数の貫通孔が設けられ、これらの貫通孔にずれ止め棒鋼１４が挿通されて、鋼板１１の両側に突出している。これらのずれ止め棒鋼１４は、鋼板１１の上下方向のほぼ全域にわたって設けられるとともに、側縁付近から鋼板の中心側に向かって複数列が設けられている。これらのずれ止め棒鋼１４は、軸線方向の長さが短く形成された短棒鋼１４ａと長く形成された長棒鋼１４ｂとが用いられ、鋼板１１の両面に沿って配置された斜ケーブル８，９と軸線が交差する位置に設けられた貫通孔には、図５（ａ）に示すように、短棒鋼１４ａが挿通されて斜ケーブル８，９と干渉しないようになっている。一方、上下方向に複数段にわたって配置された斜ケーブル間となる位置で鋼板１１に設けられた貫通孔つまり斜ケーブル８，９と干渉しない位置となる貫通孔には、図５（ｂ）に示すように、長棒鋼１４ｂが突き入れられている。
【００２３】
上記ずれ止め棒鋼１４が設けられた領域より橋軸方向の中心側には、緊張材１５を挿通するための貫通孔が設けられ、鋼板１１を貫通した複数の緊張材１５が配置されている。これらの緊張材１５は、斜ケーブル８，９が定着される位置の上下にそれぞれ配置され、両端がコンクリートブロック１２，１３に定着されるものとなっている。この緊張材はＰＣ鋼棒を好適に使用することができ、端部に形成されたねじ切り部にナットとプレートとを装着して定着することができる。この他、ＰＣ鋼線、ＰＣ鋼より線、アラミド繊維等の合成樹脂を用いた緊張材を使用することもできる。
【００２４】
上記コンクリートブロック１２，１３は、外周面付近に上下方向及び周方向の鉄筋１６が配置され、鋼板１１の側縁付近と上記ずれ止め棒鋼１４及び緊張材１５とを埋め込むとともに、ずれ止め棒鋼１４及び緊張材１５が貫通する鋼板１１の両側面と密着するように形成されている。また、斜ケーブル８，９が定着される部分は、図２及び図４に示すように、斜ケーブル８，９が配置される傾斜にあわせて斜ケーブル８，９の軸線と垂直になる定着面１２ａ，１３ａが形成された定着面調整部１２ｂ，１３ｂが設けられている。この定着面調整部１２ｂ，１３ｂは５段にわたって配置される斜ケーブル８，９が定着される位置の間では、定着面１２ａ，１３ａに対して折れ曲がるように形成された面を有し、鋼板１１の側縁に沿った位置で全ての斜ケーブルを定着することができるものとなっている。
【００２５】
上記コンクリートブロック１２，１３は、ずれ止め棒鋼１４を埋め込むとともに鋼板１１と密着するように打設されることによって鋼板１１と一体となり、斜ケーブル８，９から伝達される引張力をずれ止め棒鋼１４を介して鋼板１１へ確実に伝達するものとなる。また、鋼板１１を挟んで両側で斜ケーブル８，９が定着され、それぞれから引張力がコンクリートブロック１２，１３に伝達されることにより、コンクリートブロック１２，１３の斜ケーブル８，９を定着した位置付近つまり主塔の中心線側でコンクリートブロック１２，１３には、鋼板１１の両側面から引き離そうとする方向の力が作用する。これに対して、緊張材１５は、導入された緊張力によって鋼板１１を挟んだコンクリートブロックの両側の部分を鋼板１１の側面に押し付け、上記鋼板１１の側面から引き離そうとする力を抑制するものとなっている。また、上記斜ケーブル８，９の引張力及び緊張材１５がコンクリートブロックを締め付ける力により、ずれ止め棒鋼１４が挿通された領域では、コンクリートブロック１２，１３が鋼板１１の両側面に強く押し付けられ、コンクリートブロック１２，１３と鋼板１１とが強固に接合される。
【００２６】
上記ずれ止め棒鋼１４は、鋼板１１に設けられた貫通孔に挿通されたときに、貫通孔の内周面とずれ止め棒鋼の外周面との間にわずかな隙間を有している。つまり、ずれ止め棒鋼１４を容易に挿通することができるように、貫通孔の内径はずれ止め棒鋼１４の外径より大きく形成されており、これらの間に空間を生じるものである。
ずれ止め棒鋼１４は貫通孔３１に挿通されたときに、図６（ａ）に示すように、貫通孔３１内で斜ケーブル８の引張力が作用する方向の内周面に接触するように配置し、この位置でコンクリートに埋め込むのが望ましい。このように配置されていると、コンクリートブロック１２に斜ケーブル８の引張力が作用し、鋼板１１に対してコンクリートブロック１２が斜ケーブル８の引張力が作用する方向にずれようとしたときに、コンクリートブロック１２に埋め込まれて一体となったずれ止め棒鋼１４が鋼板１１に直接に接触し、力を伝達する。したがって、コンクリートブロック１２と鋼板１１との相対的な変位を有効に拘束することが可能となる。
【００２７】
一方、緊張材１５は鋼板１１に設けられた貫通孔３２に挿通されたときに、図６（ｂ）に示すように、貫通孔３２内で斜ケーブル８の引張力が作用する方向と反対側の内周面に接触するように配置し、この位置でコンクリートに埋め込むのが望ましい。このように配置されていると、コンクリートブロック１２に斜ケーブル８の引張力が作用し、鋼板１１に対してコンクリートブロック１２が斜ケーブル８の引張力が作用する方向にわずかに相対的な変位を生じたときに、緊張材１５は鋼板１１と直接には接触しておらず、緊張材１５に大きなせん断負荷が作用するのが抑制される。したがって、緊張材１５の信頼性が向上し、軸線方向の緊張力によってコンクリートブロック１２を鋼板１１の側面に押し付ける機能を確実に維持することが可能となるものである。
なお、上記ずれ止め棒鋼１４及び緊張材の貫通孔３１，３２内の位置は、主塔の側面視における左側のコンクリートブロック１２に埋め込まれるずれ止め棒鋼１４及び緊張材１５について説明したが、右側のコンクリートブロック１３についても、左右対称にして同様に配置するのが望ましい。
【００２８】
コンクリートブロック１２，１３と接合された上記鋼板１１の上側には、側面視における左側のコンクリートブロック１２の上部と右側のコンクリートブロック１３の上部とを連結するように上部梁２１が形成されている。また、鋼板１１の下側には、左側のコンクリートブロック１２の下部と右側のコンクリートブロック１３の下部とを連結する下部梁２２が形成されている。これにより、双方のコンクリートブロック１２，１３の相対的な変位が拘束され、鋼板１１の曲げ変形が抑制される。鋼板１１のみは曲げ剛性が小さく、斜ケーブル８，９に引張力を導入する過程又は導入後に引張力の誤差が残り、鋼板１１を挟んで両側に配置された対となる斜ケーブル８ａ，８ｂの引張力の差が生じた場合等に曲げ変形が生じる虞がある。コンクリートからなる上記上部梁２１及び下部梁２２によって上記曲げ変形を抑制するものである。
【００２９】
なお、本実施の形態では、上部梁２１又は下部梁２２は鋼板１１の上縁又は下縁と固着されてはおらず相対的な変位を許容するようになっているが、鋼板１１の上縁部と上部梁２１又は鋼板１１の下縁部と下部梁２２とを連結し、相互間の変位を拘束するようにしてもよい。
【００３０】
上記のような構造によって斜ケーブル８，９が主塔４に定着されることにより、橋軸方向の双方に張架された斜ケーブル８，９に作用する引張力の水平成分は一旦コンクリートブロック１２，１３に伝達され、さらに一体となった鋼板１１に伝達される。そして、鋼板１１の両側縁付近に反対方向への水平力が伝達されることにより、鋼板１１の引張応力となって主塔全体に作用する力は相殺される。また、斜ケーブル８，９からコンクリートブロック１２，１３に作用する引張力の鉛直成分は、コンクリートブロック１２，１３から柱状部６及び基部５に伝達され、橋桁３の柱頭部横桁に支持される。そして、柱頭部横桁から橋脚２に伝達され、基礎によって支持される。
また、柱状部６は橋軸方向に配列された２つの部材６ａ，６ｂで構成され、２つの部材間が空間となっており、斜ケーブル８，９の引張力によって鋼板１１に水平方向の伸びやねじれが生じたときに、二つに分割された柱状部６のそれぞれに変形が生じる。したがって、鋼板１１の下側で下方に伝播するひび割れの発生を防止することができる。
【００３１】
次に、上記のような主塔上部における斜ケーブルの定着構造を構築する方法について簡単に説明する。
主塔４の基部５及び柱状部６は、鉄筋コンクリート構造となっており、橋脚２上に形成された柱頭部横桁上に順次コンクリートを打設して基部５及び柱状部６を形成する。柱状部６ａ，６ｂが所定の高さまで立ち上げられると、この柱状部６ａ，６ｂの上に、鋼板１１を吊り上げ、架け渡して仮支持する。鋼板１１には、予め両側縁付近に複数の貫通孔を形成しておき、柱状部６上に支持させる前に、鋼板１１の所定の貫通孔に短棒鋼１４ａまたは長棒鋼１４ｂを挿通しておく。なお、短棒鋼１４ａ及び長棒鋼１４ｂの挿通は、鋼板１１を柱状部６の上に支持した後に行っても良い。
【００３２】
鋼板１を柱状部６の上に支持した後、斜ケーブル８，９がコンクリートブロック１２，１３を貫通する部分に、斜ケーブル８，９を挿通するダクトを形成するための管部材１８を配置する。さらに、コンクリートブロック１２，１３を補強するための鉄筋１６を配置するとともに緊張材１５を配置し、型枠を組み立てる。緊張材１５は、両端部に定着具を取り付けるとともに、鋼板１１を貫通した両側にシースを装着し、コンクリートと直接に接触しないようにする。そして、既に打設されている柱状部６ａ，６ｂに連続するとともに、鋼板１１の両側縁部をずれ止め棒鋼１４及び緊張材１５とともに埋め込むように未硬化のコンクリートを打設し、コンクリートブロック１２，１３を形成する。
【００３３】
打設したコンクリートが硬化した後、型枠を撤去し、緊張材１５に緊張力を導入してコンクリートブロック１２，１３に定着する。また、ダクトに斜ケーブル８，９の端部を挿通し、この端部に定着具１７を装着する。定着部は主塔４の側部で開放されており、斜ケーブル８，９をダクトに挿通し、定着具１７を装着する作業は容易に行うことができる。そして、ジャッキ（図示しない）によって斜ケーブル８，９に引張力を導入する。斜ケーブルの端部にジャッキを装着して引張力を導入する作業は、斜ケーブル８，９が橋桁３に定着される下端部で行うことができるが、本発明の定着構造ではコンクリートブロック１２，１３の斜ケーブル８，９を定着する部分が開放されており、主塔の上部で斜ケーブル８，９に引張力を導入することも容易に行うことができる。
【００３４】
その後、鋼板１１の上側及び下側に上部梁２１及び下部梁２２となるコンクリートを打設するとともに、コンクリートブロック１２，１３の側面の緊張材１５を定着した部分にコンクリートを打設して、緊張材１５の端部及び定着具をコンクリートで埋め込む。上部梁２１及び下部梁２２のコンクリートを、斜ケーブル８，９に引張力が導入された後に打設することにより、鋼板１１の変形による上部梁２１又は下部梁２２にひび割れが生じるのを有効に防止することができる。
【００３５】
なお、本発明は上記の実施の形態に限定されるものではなく、本発明の範囲内で他の実施形態として実施することができる。
例えば、本実施の形態では、エクストラドーズド形式の斜張橋に適用したが、エクストラドーズド形式の斜張橋に限定されるものではなく、高い主塔と剛性の小さい橋桁を有する斜張橋に適用することもできる。また、鋼板１１の両側に１本ずつ斜ケーブルを配置し、鋼板を挟んで２本の斜ケーブルを対として張架したが、鋼板の両側に配置される本数をそれぞれ同数にすればよく、本数には限定されない。さらに、主塔の上下方向には５段にわたって斜ケーブルを張架したが、これらの本数は限定されるものではない。
また、本実施の形態では、鋼板の貫通孔に挿通されるずれ止め棒鋼は、軸線方向の長さが異なる２種類を用いたが、斜ケーブルの定着部の大きさ等により適宜変更することができる。
【符号の説明】
【００３６】
１：橋台、    ２：橋脚、    ３：橋桁、    ４：主塔、    ５：主塔の基部、  ６：主塔の柱状部、    ７：主塔のケーブル定着部、    ８，９：斜ケーブル、  １０：柱状部間の空間、
１１：鋼板、    １２，１３：コンクリートブロック、    １４：ずれ止め棒鋼、    １５：緊張材、    １６：鉄筋、    １７：斜ケーブルの定着具、    １８：管部材、
２１：上部梁、    ２２：下部梁、    ３１，３２：貫通孔
【図１】
2014047489.tif 000003
【図２】
2014047489.tif 000004
【図３】
2014047489.tif 000005
【図４】
2014047489.tif 000006
【図５】
2014047489.tif 000007
【図６】
2014047489.tif 000008